【手続補正書】
【提出日】平成20年6月4日(2008.6.4)
【手続補正１】
【補正対象書類名】明細書
【補正対象項目名】発明の名称
【補正方法】変更
【補正の内容】
【発明の名称】信号処理装置及び方法
【手続補正２】
【補正対象書類名】明細書
【補正対象項目名】特許請求の範囲
【補正方法】変更
【補正の内容】
【特許請求の範囲】
【請求項１】  記録媒体から画像信号を再生する再生手段と、
前記再生手段により再生された第１のシーンの画像信号における所望の再生停止位置で再生の停止を指示する停止指示手段と、
前記記録媒体に対する画像信号の記録を指示する記録指示手段と、
前記記録指示手段による記録の指示に応じて、前記記録媒体に対して第２のシーンの画像信号を記録する記録手段と、
前記記録指示手段による記録の指示に応じて、前記停止指示手段により指示された再生停止位置まで前記第１のシーンの画像信号を再生した後、引き続いて前記第２のシーンの画像信号を再生するように前記記録媒体に記録された画像信号の再生手順を制御するための再生リストを生成する再生リスト処理手段とを備える信号処理装置。
【請求項２】  前記記録手段は記録停止の指示に応じて前記第２のシーンの画像信号の記録を停止し、前記再生リスト処理手段は前記第２のシーンの画像信号を最後まで再生した後、前記再生停止位置から前記第２のシーンの記録時間に相当する時間進んだ位置より前記第１のシーンの画像信号を再生するよう前記再生手順を制御するための再生リストを生成することを特徴とする請求項１記載の信号処理装置。
【請求項３】  前記記録手段は記録停止の指示に応じて前記第２のシーンの画像信号の記録を停止し、前記再生リスト処理手段は前記第２のシーンの画像信号を最後まで再生した後、前記再生停止位置より前記第１のシーンの画像信号を再生するよう前記再生手順を制御するための再生リストを生成することを特徴とする請求項１記載の信号処理装置。
【請求項４】  上書きモードとインサートモードの何れかを設定する手段を備え、
前記記録手段は記録停止の指示に応じて前記第２のシーンの画像信号の記録を停止し、
前記再生リスト処理手段は、前記上書きモードが設定されている場合には前記第２のシーンの画像信号を最後まで再生した後、前記再生停止位置から前記第２のシーンの記録時間に相当する時間進んだ位置より前記第１のシーンの画像信号を再生するよう前記再生手順を制御するための再生リストを生成し、前記インサートモードが設定されている場合には前記第２のシーンの画像信号を最後まで再生した後、前記再生停止位置より前記第１のシーンの画像信号を再生するよう前記再生手順を制御するための再生リストを生成することを特徴とする請求項１記載の信号処理装置。
【請求項５】  記録媒体から画像信号を再生する再生手段と、
前記再生手段により再生された第１のシーンの画像信号における所望の編集開始位置を指定する指定手段と、
前記記録媒体に対する画像信号の記録を指示する記録指示手段と、
前記記録指示手段による記録の指示に応じて、前記記録媒体に対して第２のシーンの画像信号を記録する記録手段と、
前記記録指示手段による記録の指示に応じて、前記指定手段により指定された編集開始位置まで前記第１のシーンの画像信号を再生した後、引き続いて前記第２のシーンの画像信号を再生するように前記記録媒体に記録された画像信号の再生手順を制御するための再生リストを生成する再生リスト処理手段とを備える信号処理装置。
【請求項６】  前記記録手段は記録停止の指示に応じて前記第２のシーンの画像信号の記録を停止し、前記再生リスト処理手段は前記第２のシーンの画像信号を最後まで再生した後、前記編集開始位置から前記第２のシーンの記録時間に相当する時間進んだ位置より前記第１のシーンの画像信号を再生するよう前記再生手順を制御するための再生リストを生成することを特徴とする請求項５記載の信号処理装置。
【請求項７】  前記記録手段は記録停止の指示に応じて前記第２のシーンの画像信号の記録を停止し、前記再生リスト処理手段は前記第２のシーンの画像信号を最後まで再生した後、前記編集開始位置より前記第１のシーンの画像信号を再生するよう前記再生手順を制御するための再生リストを生成することを特徴とする請求項５記載の信号処理装置。
【請求項８】  上書きモードとインサートモードの何れかを設定する手段を備え、
前記記録手段は記録停止の指示に応じて前記第２のシーンの画像信号の記録を停止し、
前記再生リスト処理手段は、前記上書きモードが設定されている場合には前記第２のシーンの画像信号を最後まで再生した後、前記編集開始位置から前記第２のシーンの記録時間に相当する時間進んだ位置より前記第１のシーンの画像信号を再生するよう前記再生手順を制御するための再生リストを生成し、前記インサートモードが設定されている場合には前記第２のシーンの画像信号を最後まで再生した後、前記編集開始位置より前記第１のシーンの画像信号を再生するよう前記再生手順を制御するための再生リストを生成することを特徴とする請求項５記載の信号処理装置。
【請求項９】  前記記録手段は、前記再生リスト処理手段により生成された再生リストを前記記録媒体に記録することを特徴とする請求項１から８の何れか１項記載の信号処理装置。
【請求項１０】  記録媒体から画像信号を再生する再生ステップと、
前記再生ステップで再生された第１のシーンの画像信号における所望の再生停止位置で再生の停止を指示する停止指示ステップと、
前記記録媒体に対する画像信号の記録を指示する記録指示ステップと、
前記記録指示ステップにおける記録の指示に応じて、前記記録媒体に対して第２のシーンの画像信号を記録する記録ステップと、
前記記録指示ステップにおける記録の指示に応じて、前記停止指示ステップで指示された再生停止位置まで前記第１のシーンの画像信号を再生した後、引き続いて前記第２のシーンの画像信号を再生するように前記記録媒体に記録された画像信号の再生手順を制御するための再生リストを生成する再生リスト処理ステップとを備える信号処理方法。
【請求項１１】  記録媒体から画像信号を再生する再生ステップと、
前記再生ステップで再生された第１のシーンの画像信号における所望の編集開始位置を指定する指定ステップと、
前記記録媒体に対する画像信号の記録を指示する記録指示ステップと、
前記記録指示ステップにおける記録の指示に応じて、前記記録媒体に対して第２のシーンの画像信号を記録する記録ステップと、
前記記録指示ステップにおける記録の指示に応じて、前記指定手段により指定された編集開始位置まで前記第１のシーンの画像信号を再生した後、引き続いて前記第２のシーンの画像信号を再生するように前記記録媒体に記録された画像信号の再生手順を制御するための再生リストを生成する再生リスト処理ステップとを備える信号処理方法。
【手続補正３】
【補正対象書類名】明細書
【補正対象項目名】０００１
【補正方法】変更
【補正の内容】
【０００１】
【発明の属する技術分野】
本発明は、情報信号を記録媒体に記録／再生する信号処理装置及び方法に関する。
【手続補正４】
【補正対象書類名】明細書
【補正対象項目名】０００９
【補正方法】変更
【補正の内容】
【０００９】
本発明は上記従来技術の有する問題点を解消するためになされたもので、その目的は、ＶＴＲと同じ感覚で信号の重ね記録を実現することが可能で、また、下地記録を消すことなく、上書き記録したように或いは１台の機器で挿入編集したように或いは１台の機器で特殊効果処理したように再生することを可能にした信号処理装置及び方法を提供することである。
【手続補正５】
【補正対象書類名】明細書
【補正対象項目名】００１０
【補正方法】変更
【補正の内容】
【００１０】
【課題を解決するための手段】
上記目的を達成するために、請求項1記載の信号処理装置は、記録媒体から画像信号を再生する再生手段と、前記再生手段により再生された第１のシーンの画像信号における所望の再生停止位置で再生の停止を指示する停止指示手段と、前記記録媒体に対する画像信号の記録を指示する記録指示手段と、前記記録指示手段による記録の指示に応じて、前記記録媒体に対して第２のシーンの画像信号を記録する記録手段と、前記記録指示手段による記録の指示に応じて、前記停止指示手段により指示された再生停止位置まで前記第１のシーンの画像信号を再生した後、引き続いて前記第２のシーンの画像信号を再生するように前記記録媒体に記録された画像信号の再生手順を制御するための再生リストを生成する再生リスト処理手段とを備える。
【手続補正６】
【補正対象書類名】明細書
【補正対象項目名】００１１
【補正方法】変更
【補正の内容】
【００１１】
請求項５記載の信号処理装置は、記録媒体から画像信号を再生する再生手段と、前記再生手段により再生された第１のシーンの画像信号における所望の編集開始位置を指定する指定手段と、前記記録媒体に対する画像信号の記録を指示する記録指示手段と、前記記録指示手段による記録の指示に応じて、前記記録媒体に対して第２のシーンの画像信号を記録する記録手段と、前記記録指示手段による記録の指示に応じて、前記指定手段により指定された編集開始位置まで前記第１のシーンの画像信号を再生した後、引き続いて前記第２のシーンの画像信号を再生するように前記記録媒体に記録された画像信号の再生手順を制御するための再生リストを生成する再生リスト処理手段とを備える。
【手続補正７】
【補正対象書類名】明細書
【補正対象項目名】００１２
【補正方法】変更
【補正の内容】
【００１２】
請求項１０記載の信号処理方法は、記録媒体から画像信号を再生する再生ステップと、前記再生ステップで再生された第１のシーンの画像信号における所望の再生停止位置で再生の停止を指示する停止指示ステップと、前記記録媒体に対する画像信号の記録を指示する記録指示ステップと、前記記録指示ステップにおける記録の指示に応じて、前記記録媒体に対して第２のシーンの画像信号を記録する記録ステップと、前記記録指示ステップにおける記録の指示に応じて、前記停止指示ステップで指示された再生停止位置まで前記第１のシーンの画像信号を再生した後、引き続いて前記第２のシーンの画像信号を再生するように前記記録媒体に記録された画像信号の再生手順を制御するための再生リストを生成する再生リスト処理ステップとを備える。
【手続補正８】
【補正対象書類名】明細書
【補正対象項目名】００１３
【補正方法】変更
【補正の内容】
【００１３】
請求項１１記載の信号処理方法は、記録媒体から画像信号を再生する再生ステップと、前記再生ステップで再生された第１のシーンの画像信号における所望の編集開始位置を指定する指定ステップと、前記記録媒体に対する画像信号の記録を指示する記録指示ステップと、前記記録指示ステップにおける記録の指示に応じて、前記記録媒体に対して第２のシーンの画像信号を記録する記録ステップと、前記記録指示ステップにおける記録の指示に応じて、前記指定手段により指定された編集開始位置まで前記第１のシーンの画像信号を再生した後、引き続いて前記第２のシーンの画像信号を再生するように前記記録媒体に記録された画像信号の再生手順を制御するための再生リストを生成する再生リスト処理ステップとを備える。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】
【手続補正４２】
【補正対象書類名】明細書
【補正対象項目名】００４７
【補正方法】削除
【補正の内容】
【手続補正４３】
【補正対象書類名】明細書
【補正対象項目名】００４８
【補正方法】削除
【補正の内容】
【手続補正４４】
【補正対象書類名】明細書
【補正対象項目名】００４９
【補正方法】削除
【補正の内容】
【手続補正４５】
【補正対象書類名】明細書
【補正対象項目名】００５０
【補正方法】削除
【補正の内容】